(57)【要約】      （修正有）【課題】布帯が長い場合ＡＣコードのプラグ上に係止された固定具の押さえ金具が特定方向の強い力を加えられるとＡＣコードのプラグから滑り落ち、またベルト送り金具に係止した布帯が強い力で引っ張られたとき布帯表面の状態によっては送り金具から緩むことを防ぐことを目的としたロック金具と市販の送り金具が利用できる結合金具とを備えたＡＣアダプタ用ＡＣコード脱落防止具の固定具を提供する。【解決手段】ＡＣコードのプラグ１０１上の付け根部１０２を３方から捕捉していたものをロック金具４０により４方からの捕捉を可能して固定具の押さえ金具２０がＡＣコードのプラグ上からあ滑り落ちることを防止し、また、押さえ金具に結合した市販のベルト送り金具５０の回転角に制限を設けてベルト送り金具で折り返した布ベルトの折り返し後側６０ａを折り返し前側６０ｂに強く押し付ることを可能にして布帯６０が緩むことを防止した固定具を実現した。【選択図】図１
0003163038.tif 000002
【実用新案登録請求の範囲】
【請求項１】
布帯をＡＣアダプタに掛けまわして、その両端を脱落防止部の一部である固定具のベルト送り金具に係止して締めることでＡＣアダプタのＡＣインレットに挿し込んだＡＣコードのプラグがＡＣアダプタから抜け落ちないようにするための固定具において、
その両末端部付近にベルト押さえ金具を連結する腕部を持ったＡＣコードのプラグ上のコード付け根部分を３方向から囲むように捕捉するコの字状の捕捉部を備えた既存の押さえ金具と、前記押さえ金具の略コの字型の捕捉部の開口側を塞いでＡＣコードのプラグ上のコード付け根部を４方向から囲むための押さえ金具に付加するロック金具と、押さえ金具の両末端部付近の腕部にベルト送り金具を結合する結合金具とで構成することを特徴としたＡＣアダプタ用ＡＣコード脱落防止具固定具。
【請求項２】
前記ロック金具は、
前記押さえ金具の略コの字の捕捉部両側部がＡＣプラグの肩部に押し付ける２枚の水平安定片と、押さえ金具にロック金具を係止する２枚のロック片と、ＡＣコードのプラグ上のコード付け根部分にほぼ密着する１枚の垂直安定片とを備えると共に、一端に設けた長円形の孔に押さえ金具を通してロック金具の紛失防止能力を備えたことを特徴とする請求項１のＡＣアダプタ用ＡＣコード脱落防止具固定具。
【請求項３】
前記結合金具は、
市販のベルト送り金具を前記既成の押さえ金具に結合でき、結合金具に設けた凹部により押さえ金具に対して結合金具の回転角が制限を受けることでベルト送り金具に通して折り返した折り返し後側の布帯が折り返す前側の布帯に強く押し付けられて、強い力が加わった布帯の緩みを防ぐことを特長とした請求項１のＡＣアダプタ用ＡＣコード脱落防止具固定具。
【考案の詳細な説明】
【技術分野】
【０００１】
本考案は、ＡＣアダプタに挿し込まれたＡＣコードが容易にＡＣアダプタから抜け落ちないようにするＡＣアダプタ用ＡＣコード脱落防止具に関するものである。
【背景技術】
【０００２】
一般にＡＣコードをＡＣインレットに挿し込んで用いるＡＣアダプタにはＡＣコードが容易にＡＣインレットから抜け落ちることがないようにする目的のＡＣコード脱落防止具は組み込まれていない。近年はＡＣアダプタであっても重要なあるいは信頼性を要求される機器や設備の電源としての用途に用いられるためＡＣコードの墜落防止具が必要になることが増え、確実にＡＣコードの脱落を防止できる脱落防止具が求められている。
【先行技術文献】
【特許文献】
【０００３】
【特許文献１】特願２００９−２７３９３３
【考案の概要】
【考案が解決しようとする課題】
【０００４】
ＡＣアダプタのＡＣインレットに挿し込まれたＡＣコードのプラグが容易にＡＣアダプタから抜け落ちないようにするための強度がある布帯をＡＣアダプタに掛けまわし、その両端をＡＣコードのプラグに係止した固定具のベルト送り金具に掛けて締める脱落防止具は既に開発されているが、押さえ金具がＡＣコードのプラグ上のコード付け根部を周囲３方向から囲んだ略コの字形の捕捉部を用い、残る１方向の開口を着脱に利用している場合、押さえ金具が前記開口側から閉じたコの字の方向に強い力で押され、布帯の長さが長い場合は押さえ金具がＡＣコードのプラグから滑り落ちる可能性があった。
また、ベルト送り金具に通して折り返して締める布帯は、布帯の表面が滑らかで、且つベルト送り金具が抑え金具の腕部を軸にして自由に回転可能な場合、折り返す前側の布帯を強い力で引くと緩むことがあった。
本考案は上記に鑑み、脱落防止具がＡＣアダプタに装着された使用状態においては、押さえ金具をいかなる方向から強い力で押しても押さえ金具がＡＣコードのプラグ上から滑り落ちることがなく、布帯についても送り金具を通して折り返した後側の布帯はもとより、折り返す前側の布帯を強い力で引いても布帯が緩み、送り金具がＡＣコードのプラグ上から滑り降りることが無く、結果としてＡＣコードがＡＣアダプタのＡＣインレットから容易に抜け落ちることがないＡＣコード脱落防止具用固定具を提供することを目的とする。
【０００５】
上記目的を達成するための本考案のＡＣアダプタ用ＡＣコード脱落防止具用の固定具の押さえ金具は、強度がある布帯をＡＣアダプタに掛けまわして、その両端を固定具のベルト送り金具に係止して締めることでＡＣコードをＡＣアダプタから抜け落ちないようにするための固定具において、
（１）その両末端部付近にベルト押さえ金具を連結する腕部を持ったＡＣコードのプラグ上のコード付け根部分を３方向から囲むように捕捉するコの字状の捕捉部を備えた押さえ金具と、
（２）前記押さえ金具の略コの字型の捕捉部の開口側を塞いでＡＣコードのプラグ上のコード付け根部を４方向から囲むロック金具と、
（３）押さえ金具の両末端部付近の腕部にベルト送り金具を結合する結合金具とで構成することを特徴としたものである。
ここで、前記押さえ金具は、
【０００６】
（４）前記参考文献に示された機知のＡＣコード脱落防止具用のものである。
また、ロック金具は、
【０００７】
（５）略長方形の１長辺の中央部に前記略長方形面に垂直に立ち上がった垂直安定片と、その両脇に前記略長方形面から張り出した水平安定片と、更に両脇の末端部に前記長方形から垂直に立ち上がったロック片を備えたものであって、
（６）略長方形の長手方向の一端に押さえ金具のワイヤを通したとき、ロック金具が押え金具に対し自在に動かせる長円形の孔があってもよい。
また、結合金具は、
【０００８】
（７）略長方形で各々の長辺に垂直に立ち上がった矩形片２枚又は４枚を持つ板金製の曲げ物を向かい合わせて２本のネジでネジ止めしたものが押さえ金具１個に対し２個用いられるものであって、
（８）４枚の矩形片は中央部を除いて隣り合う２面間に押さえ金具の腕部に垂直な部分にあわせた凹部を２箇所備えたものであって、
（９）略長方形面に垂直に立ち上がった矩形の夫々は前記略長方形部をネジ止めして固定された状態で２重に重なったものであって、
（１０）２枚の略長方形面の間には前記押さえ金具末端部付近の腕部と前記送り金具のベルト送り金具結合辺である１辺とを密着して挟み込み込むことができるものであって、
（１１）前記押さえ金具の腕部は、腕部を軸にして回転できるが、前記凹部により回転角度が制限されるものである。
ここで、結合金具が押さえ金具に連結するベルト送り金具は、
【０００９】
（１２）コキカン或いはセンコキと呼ばれる市販のベルト送り金具であってもよく。
（１３）面ファスナが付けられた布帯を使用した固定具を必要とする場合は、カクカンと呼ばれる可動部がない４辺形の四角いカンであっても良い。
【考案の効果】
【００１０】
本考案の固定具では、ロック金具はその一端に設けられた長円形の孔に押さえ金具が通され、押さえ金具の長手方向両端付近の腕部には結合金具が装着されるので、ロック金具は押さえ金具から外れることがなく紛失する心配がない。
【００１１】
また、ロック金具はＡＣコード脱落防止具をＡＣアダプタのＡＣコードに装着する前は押さえ金具上で自在に動かせるので、押さえ金具の略コの字捕捉部の開口側をＡＣコードのプラグ上の付根部に装着するとき邪魔にならない。
【００１２】
また、押え金具をＡＣコードのプラグに掛けるとき、水平安定片をＡＣコードのプラグ上の肩部に置き押え金具の前記略コの字の捕捉部の両脚部で押さえつけ、ロック片を前記捕捉部両開放端から夫々外側に直角に曲げられた張り出し部に掛け、垂直安定片をＡＣコードのプラグ上のコード付け根部にほぼ密着させることでロック片は対ＡＣプラグに対して姿勢が安定してロック金具と捕捉部が一体化して前記プラグ上のコード付け根部を４方向から捕捉するので、押さえ金具は何れの方向からの強い力によっても前記プラグ上から滑る落ちることがなくなる。
【００１３】
また、結合金具はその押さえ金具側に２箇所設けた凹部で押さえ金具の腕部を軸にした結合金具の回転は制限された角度の範囲になるため、ベルト送り金具の可動部にかけて折り返した後側の布帯はベルト送り金具とベルト送りを通る前の布帯の間に強く押し付けられて前記折り返し前或いは折り返し後の布帯の何れを強く引いても緩むことがなくなる。
【００１４】
布帯を掛けて強く締めたとき、強い力がかかる結合金具の６枚の矩形片は二重化にされて組み立てられるので変形しにくく、同時に市販のコキカンをベルト送り金具として使用できるのでコストを固定具の製造コストを低く抑えることができる。
【００１５】
更に荷の帯に強い力が加わる心配がない用途においては、便宜を優先して簡便な着脱に便利な面ファスナが取り付けられた布帯を用いたいときはベルト送り金具を通常カクカンと呼ばれる市販の可動部がない布帯の折り返し用のワイヤ金具に簡単に置き換えることができる。
【図面の簡単な説明】
【００１６】
【図１】は本考案の固定具の使用状態を示す拡大斜図である。
【００１７】
【図２】は本考案の固定具を示す観斜図である。
【００１８】
【図３】は本考案の固定具を示す分解斜図である。
【００１９】
【図４】は本考案の結合金具を構成する板金の図面である。
【００２０】
【図５】は本考案のロック金具の図面である。
【考案を実施するための形態】
【００２１】
本考案は、ＡＣアダプタに挿し込まれたＡＣコードが容易にＡＣアダプタから抜け落ちないようにするＡＣアダプタ用ＡＣコード脱落防止具の固定具において実現されたものである。
【実施例１】
【００２２】
図１から図４を参照して、本考案の実施例１を説明する。
【００２３】
図１はＡＣアダプタのＡＣインレットに挿し込まれたＡＣプラグをＡＣアダプタに掛け回した布帯と共に用いてＡＣコードの脱落を防いだ本考案の固定具の使用状態を示したＡＣコードのプラグ付近の拡大斜図である。図２は固定具の外観を示す斜図である。図３は固定具を分解して外観を示した斜図である。図４は結合金具を構成する板金部品の１枚分の３角法による図面である。図５はロック金具の平面図と正面図である。
【００２４】
本考案の固定具は既に実用化された既存の押さえ金具にロック金具１個と結合金具２個を２個の市販のベルト送り金具と共に用いる。
【００２５】
ＡＣアダプタのＡＣインレットに挿し込まれたＡＣコードのプラグが、固定具の押さえ金具や布ベルトに強い力が加えられても、押さえ金具がＡＣコードのプラグから滑り落ちたり布帯が緩んだりしないようにするためには、
【００２６】
図３に示されるロック金具４０の長手方向一端に設けられた長円形の孔に押さえ金具を図２のように挿し込む。また、２組の結合金具３０、３０は夫々の２本のネジを外し、押さえ金具２０の腕部２０ｅ夫々にベルト送り金具５０の１辺５０ａを並行に密着して沿わせ、２枚の結合金具板金間に挟んで、前記外した２本尾ネジを締め戻しておく。このとき、結合金具３０の凹部３１によってできる開口部の孔に押さえ金具の脚部２０ｄと末端部２０ｆを通す。結合金具は押さえ金具の夫々の腕部２０ｅ、２０ｅに夫々のベルト送り金具５０、５０を結合しておく。
【００２７】
次に、ＡＣコード１００のプラグ１０１の肩部に押さえ金具の略コの字の捕捉部を乗せる時、ロック金具４０の水平安定片４４ａ，４４ｂが押さえ金具の略コの字捕捉部の両側部２０ｂ，２０ｂの下に、ロック金具４０のロック片４２ａ，４２ｂが前記張り出し部２０ｃ，２０ｃの略コの字の捕捉部２０ｂ−２０ａ−２０ａ側に、更にロック金具４０の垂直安定片４３がＡＣコードのプラグ上の付け根部１０１に密着するように配置して、組み合わせる布帯の両端部を押さえ金具の両端部分に結合金具３０で結合したベルト送り金具に係止して締めることでロック金具４０は抑え金具２０の略コの字形の捕捉部と一体になってＡＣコード１００のプラグ１０１のコード付け根部１０２を４方向から確実安定に捕捉して固定具１０の押さえ金具２０が前記プラグ１０１から滑る落ちることを防止し、ベルト送り金具５０で折り返した後側の布帯６０ａがベルト送り金具５０の１辺のベルト押さえ片５２により折り返す前側の布帯６０ｂに強く押し付けられることで布帯の折り返す前側が強い力で引っ張られた場合でも、布帯６０が緩み固定具１０がＡＣコード１００から容易に外れることを確実に防止できる。
【符号の説明】
【００２８】
１０  固定具
２０  押さえ金具
２０ａ  押さえ金具捕捉中央部
２０ｂ  押さえ金具捕捉側部
２０ｃ  押さえ金具張り出し部
２０ｄ  押さえ金具脚部
２０ｅ  押さえ金具腕部
２０ｆ  押さえ金具末端部
３０  結合金具
３１  結合金具凹部
４０  ロック金具
４１  長円系孔
４２ａ、４２ｂ  ロック片
４３  垂直安定片
４４ａ、４４ｂ  水平安定片
５０  ベルト送り金具
５１  ベルト送り金具結合辺
５２  ベルト送り金具ベルト押さえ辺
５３  ベルト送り金具可動部
６０  布帯
６０ａ  布帯折り返し後側
６０ｂ  布帯折り返し前側
１００  ＡＣコード
１０１  ＡＣコードプラグ部
１０２  ＡＣコードプラグ部上のコード付け根部
２００  ＡＣアダプタ
２０１  ＡＣインレット
【図１】
0003163038.tif 000003
【図２】
0003163038.tif 000004
【図３】
0003163038.tif 000005
【図４】
0003163038.tif 000006
【図５】
0003163038.tif 000007
【手続補正書】
【提出日】平成22年7月22日(2010.7.22)
【手続補正１】
【補正対象書類名】実用新案登録請求の範囲
【補正対象項目名】全文
【補正方法】変更
【補正の内容】
【実用新案登録請求の範囲】
【請求項１】
布帯をＡＣアダプタに掛けまわして、その両端を脱落防止部の一部である固定具のベルト送り金具に係止して締めることでＡＣアダプタのＡＣインレットに挿し込んだＡＣコードのプラグがＡＣアダプタから抜け落ちないようにするための固定具において、
その両末端部付近にベルト送り金具を連結する腕部を持ったＡＣコードのプラグのコード付け根部分を３方向から囲むように捕捉する略コの字状の捕捉部を備えた押さえ金具と、前記押さえ金具の略コの字型の捕捉部の開口側を塞いでＡＣコードのプラグのコード付け根部を４方向から囲んで何れの方向からの力にも押さえ金具が前記付け根部から滑り落ちることを防止するために押さえ金具に付加するロック金具と、押さえ金具の両末端部付近の夫々の腕部にベルト送り金具を結合する結合金具とベルト送り金具とで構成することを特徴としたＡＣアダプタ用のＡＣコード脱落防止固定具。
【請求項２】
前記ロック金具は、
前記押さえ金具の略コの字の捕捉部両側部がＡＣプラグの肩部に押し付ける２枚の水平安定片と、押さえ金具にロック金具を係止する２枚のロック片と、ＡＣコードのプラグのコード付け根部分にほぼ密着する１枚の垂直安定片とを備えると共に、一端に設けた長円形の孔に押さえ金具を通してロック金具の紛失防止能力を備えたことを特徴とする請求項１のＡＣアダプタ用のＡＣコード脱落防止固定具。
【請求項３】
前記結合金具は、
一般商品名をコキカンまたはセンコキと呼ばれる市販のベルト送り金具或いは一般商品名をカクカンと呼ばれるカンを前記押さえ金具に結合でき、結合金具に押さえ金具の脚部並びに末端部が出入りする部分に設けた凹部により押さえ金具に対して結合金具の回転角が制限を受けることでコキカンまたはセンコキを用いた場合はベルト送り金具に通して折り返した折り返し後側の布帯が折り返す前側の布帯に強く押し付けられて、強い力が加わった布帯の緩みを防ぐことを特長とした請求項１のＡＣアダプタ用のＡＣコード脱落防止固定具。
【手続補正２】
【補正対象書類名】明細書
【補正対象項目名】全文
【補正方法】変更
【補正の内容】
【考案の詳細な説明】
【技術分野】
【０００１】
本考案は、ＡＣアダプタに挿し込まれたＡＣコードが容易にＡＣアダプタから抜け落ちないようにするＡＣアダプタ用ＡＣコード脱落防止固定具に関するものである。
【背景技術】
【０００２】
一般にＡＣコードをＡＣインレットに挿し込んで用いるＡＣアダプタにはＡＣコードが容易にＡＣインレットから抜け落ちることがないようにする目的のＡＣコード脱落防止具は組み込まれていない。近年はＡＣアダプタであっても重要なあるいは信頼性を要求される機器や設備の電源としての用途に用いられるためＡＣコードの脱落防止具が必要になることが増え、確実にＡＣコードの脱落を防止できる脱落防止具が求められている。
【先行技術文献】
【特許文献】
【０００３】
【特許文献１】特願２００９−２７３９３３
【考案の概要】
【考案が解決しようとする課題】
【０００４】
ＡＣアダプタのＡＣインレットに挿し込まれたＡＣコードのプラグが容易にＡＣアダプタから抜け落ちないようにするための強度がある布帯をＡＣアダプタに掛けまわし、その両端をＡＣコードのプラグに係止した固定具のベルト送り金具に掛けて締める脱落防止具は既に開発済みだが、押さえ金具がＡＣコードのプラグのコード付け根部を周囲３方向から囲んだ略コの字形の捕捉部を用い、残る１方向の開口を着脱に利用している場合、押さえ金具が前記開口側から閉じたコの字の方向に強い力で押されると、布帯の長さが長い場合は押さえ金具がＡＣコードのプラグから滑り落ちる可能性があった。
また、ベルト送り金具に通して折り返して締める布帯は、折り返す前の布帯を強い力で引くと、布帯の表面が滑らかな場合は緩むことがあった。
本考案は上記に鑑み、脱落防止具がＡＣアダプタに装着された使用状態においては、押さえ金具をいかなる方向から強い力で押しても押さえ金具がＡＣコードのプラグ上から滑り落ちることがなく、布帯についても送り金具を通して折り返した後側の布帯はもとより、折り返す前側の布帯を強い力で引いても布帯が緩んで送り金具がＡＣコードのプラグ上から滑り降りることが無く、結果としてＡＣコードがＡＣアダプタのＡＣインレットから容易に抜け落ちることがないＡＣコード脱落防止固定具を提供することを目的とする。
【課題を解決するための手段】
【０００５】
上記目的を達成するための本考案のＡＣアダプタ用ＡＣコード脱落防止固定具は、強度がある布帯をＡＣアダプタに掛けまわして、該固定具の押さえ金具の両端を固定具のベルト送り金具に係止して締めることでＡＣコードをＡＣアダプタから抜け落ちないようにするための固定具において、
（１）その両末端部付近にベルト送り金具を連結する腕部を持ちＡＣコードのプラグのコード付け根部分を３方向から囲むように捕捉する略コの字状の捕捉部を備えた押さえ金具と、
（２）前記押さえ金具の略コの字型の捕捉部の開口側を塞いでＡＣコードのプラグのコード付け根部を４方向から囲むためのロック金具と、
（３）押さえ金具の両末端部付近の腕にベルト送り金具を結合する結合金具とで構成することを特徴としたものである。
ここで、前記押さえ金具は、
【０００６】
（４）前記参考文献に示された機知のＡＣコード脱落防止具用のものである。
また、ロック金具は、
【０００７】
（５）略長方形面内の１長辺の中央部に前記略長方形面に垂直に立ち上がった垂直安定片と、その両脇に前記略長方形面から張り出した水平安定片と、更に両脇の末端部に前記長方形から垂直に立ち上がったロック片を備えたものであって、
（６）略長方形の長手方向の一端に押さえ金具のワイヤを通したとき、ロック金具が押え金具に対し自在に動かせる長円形の孔があってもよい。
また、結合金具は、
【０００８】
（７）略長方形で各々の長辺に垂直に立ち上がった矩形片２枚と４枚とを持つ板金製の曲げ物を向かい合わせて２本のネジでネジ止めしたものが押さえ金具１個に対し２個用いられるものであって、
（８）前記垂直に立ち上がった矩形片４枚は中央部を除いて隣り合う２面間に押さえ金具の腕部に垂直な部分にあわせた凹部を夫々備えたものであって、
（９）略長方形面に垂直に立ち上がった矩形の夫々は前記２個の略長方形部をネジ止めして固定された状態で互いに他方の略長方形に在る同一矩形部と２重に重なったものであって、
（１０）２枚の略長方形面の間には前記押さえ金具末端部付近の腕部と前記送り金具の結合辺である１辺とを密着させて挟み込み込むことができるものであって、
（１１）前記押さえ金具の腕部は、腕部を軸にして回転できるが、前記凹部により回転角度が制限されるものである。
ここで、結合金具が押さえ金具に連結するベルト送り金具は、
【０００９】
（１２）コキカン或いはセンコキと呼ばれる市販のベルト送り金具であってもよく。
（１３）面ファスナが付けられた布帯を使用した固定具を必要とする場合は、カクカンと呼ばれる布帯を締め付ける可動部がない４辺形の四角いカンであっても良い。
【考案の効果】
【００１０】
本考案の固定具では、ロック金具はその一端に設けられた長円形の孔に押さえ金具が通され、押さえ金具の長手方向両端付近の腕部には結合金具が装着されるので、ロック金具は押さえ金具から外れることがなく紛失する心配がない。
【００１１】
また、ロック金具はＡＣコード脱落防止具をＡＣアダプタのＡＣコードに装着する前は押さえ金具上で自在に動かせるので、押さえ金具の略コの字捕捉部の開口側をＡＣコードのプラグの付根部に装着するとき邪魔にならない。
【００１２】
また、押え金具をＡＣコードのプラグに掛けるとき、水平安定片をＡＣコードのプラグの肩部に置き押え金具の前記略コの字の捕捉部の両側部で押さえつけ、ロック片を前記捕捉部両開放端から夫々外側に直角に曲げられた張り出し部に掛け、垂直安定片をＡＣコードのプラグのコード付け根部にほぼ密着させることでロック金具は対ＡＣプラグに対して姿勢が安定してロック金具と捕捉部が一体化して前記プラグのコード付け根部を４方向から捕捉するので、押さえ金具は何れの方向からの強い力によっても前記プラグ上から滑り落ちることがなくなる。
【００１３】
また、結合金具はその押さえ金具側に２箇所設けた凹部で押さえ金具の腕部を軸にした結合金具の回転は制限された角度の範囲になるため、ベルト送り金具の可動部にかけて折り返した後側の布帯はベルト送り金具とベルト送りを通る前の布帯の間に強く押し付けられて前記折り返し前或いは折り返し後の布帯の何れを強く引いても緩むことがなくなる。
【００１４】
布帯を掛けて強く締めたとき、強い力がかかる結合金具の６枚の矩形片は二重に重ねられて組み立てられるので変形しにくく、同時に市販のコキカン又はセンコキと呼ばれるカンをベルト送り金具として使用できるので固定具の製造コストを低く抑えることができる。
【００１５】
更に布帯に強い力が加わる心配がない用途においては、便宜を優先して簡便な着脱に便利な面ファスナが取り付けられた布帯を用いたいときはベルト送り金具を通常カクカンと呼ばれる市販の可動部がない布帯の折り返し用のワイヤ金具に簡単に置き換えることができる。
【図面の簡単な説明】
【００１６】
【図１】は本考案の固定具の使用状態を示す拡大斜図である。
【００１７】
【図２】は本考案の固定具を示す斜視図である。
【００１８】
【図３】は本考案の固定具を示す分解斜視図である。
【００１９】
【図４】は本考案の結合金具を構成する板金の図面である。
【００２０】
【図５】は本考案のロック金具の図面である。
【考案を実施するための形態】
【００２１】
本考案は、ＡＣアダプタに挿し込まれたＡＣコードが容易にＡＣアダプタから抜け落ちないようにするＡＣアダプタ用ＡＣコード脱落防止具の固定具において実現されたものである。
【実施例１】
【００２２】
図１から図４を参照して、本考案の実施例１を説明する。
【００２３】
図１はＡＣアダプタのＡＣインレットに挿し込まれたＡＣプラグをＡＣアダプタに掛け回した布帯と共に用いてＡＣコードの脱落を防いだ本考案の固定具の使用状態を示したＡＣコードのプラグ付近の拡大斜視図である。図２は固定具の外観を示した斜視図である。図３は固定具を分解して外観を示した斜視図である。図４は結合金具を構成する板金部品の１枚分の３角法による図面である。図５はロック金具の平面図と正面図である。
【００２４】
本考案の固定具はロック金具１個に通した既に実用化された前記参考文献に示された既存の押さえ金具1個に市販のコキカン又はセンコキと呼ばれるベルト送り金具２個を板金部品２個をネジ止めして１個に固定した状態の結合金具２個で結合して構成した。
【００２５】
ＡＣアダプタのＡＣインレットに挿し込まれたＡＣコードのプラグが、固定具の押さえ金具や布ベルトにより強い力が加えられても、押さえ金具がＡＣコードのプラグから滑り落ちたり布帯が緩んだりしないようにするためには、
【００２６】
図３に示されるロック金具４０の長手方向一端に設けられた長円形の孔に押さえ金具を図２のように挿し込む。また、２組の結合金具３０、３０は夫々の２本のネジを外し、押さえ金具２０の腕部２０ｅの夫々にベルト送り金具５０の１辺である結合辺５１を並行に密着させて沿わせ、２枚の結合金具板金間に挟んで、前記外した２本のネジを締め戻しておく。このとき、結合金具３０の凹部３１によってできる開口部の孔に押さえ金具の脚部２０ｄと末端部２０ｆを通す。結合金具は押さえ金具の夫々の腕部２０ｅ、２０ｅに夫々のベルト送り金具５０、５０を結合しておく。
【００２７】
次に、ＡＣコード１００のプラグ１０１の肩部に押さえ金具の略コの字の捕捉部を乗せる時、ロック金具４０の水平安定片４４ａ，４４ｂが押さえ金具の略コの字捕捉部の両側部２０ｂ，２０ｂの下に、ロック金具４０のロック片４２ａ，４２ｂが前記張り出し部２０ｃ，２０ｃの略コの字の捕捉部２０ｂ−２０ａ−２０ａ側に、更にロック金具４０の垂直安定片４３がＡＣコードのプラグの付け根部１０１に密着するように配置して、組み合わせる布帯の両端部を押さえ金具の両端部分に結合金具３０で結合したベルト送り金具に係止して締めることでロック金具４０は抑え金具２０の略コの字形の捕捉部と一体になってＡＣコード１００のプラグ１０１のコード付け根部１０２を４方向から確実安定に捕捉して固定具１０の押さえ金具２０が前記プラグ１０１から滑る落ちることを防止し、ベルト送り金具５０で折り返した後側の布帯６０ａがベルト送り金具５０の１辺のベルト押さえ片５２により折り返す前側の布帯６０ｂに強く押し付けられることで布帯の折り返す前側が強い力で引っ張られた場合でも、布帯６０が緩んで固定具１０がＡＣコード１００から容易に外れることを確実に防止できる。
【符号の説明】
【００２８】
１０  固定具
２０  押さえ金具
２０ａ  押さえ金具捕捉中央部
２０ｂ  押さえ金具捕捉側部
２０ｃ  押さえ金具張り出し部
２０ｄ  押さえ金具脚部
２０ｅ  押さえ金具腕部
２０ｆ  押さえ金具末端部
３０  結合金具
３１  結合金具凹部
４０  ロック金具
４１  長円形孔
４２ａ、４２ｂ  ロック片
４３  垂直安定片
４４ａ、４４ｂ  水平安定片
５０  ベルト送り金具
５１  ベルト送り金具結合辺
５２  ベルト送り金具ベルト押さえ辺
５３  ベルト送り金具可動部
６０  布帯
６０ａ  布帯折り返し後側
６０ｂ  布帯折り返し前側
１００  ＡＣコード
１０１  ＡＣコードプラグ部
１０２  ＡＣコードプラグ部上のコード付け根部
２００  ＡＣアダプタ
２０１  ＡＣインレット
【手続補正３】
【補正対象書類名】図面
【補正対象項目名】図３
【補正方法】変更
【補正の内容】
【図３】
0003163038.tif 000008